(57)【特許請求の範囲】
【請求項１】
遊技者が獲得した遊技媒体を受入れて計数し、その計数結果を記録した記録媒体を発行する遊技媒体計数装置において、
前記計数結果を記録した記録媒体として、景品交換専用のレシート、及び景品交換と再遊技とが可能なＩＣチップを内蔵したカードのうち何れか一方の記録媒体を選択するために操作する選択操作手段と、
前記選択操作手段による操作に応じて選択された記録媒体を発行する記録媒体発行手段と、
この記録媒体発行手段が発行した記録媒体に関する履歴情報を記憶する発行履歴記憶手段と、
この発行履歴記憶手段が記憶する履歴情報を読出して表示する履歴情報表示手段と、
前記履歴情報の中から任意に選択された履歴情報により特定される記録媒体に記録した計数結果を、再度当該記録媒体と同じ形式の記録媒体に記録して発行する第１再発行手段と、
前記履歴情報の中から任意に選択された履歴情報により特定される前記レシートに記録した計数結果を、再度前記カードに記録して発行する第２再発行手段と、を備えたことを特徴とする遊技媒体計数装置。
【請求項２】
請求項１に記載した遊技媒体計数装置と、
前記レシート及び前記カードに記録された計数結果に基づいて景品交換処理を実行可能な景品交換装置と、
前記カードに記録された計数結果に基づいて遊技媒体の払出処理を実行可能な遊技媒体払出装置と、を備えたことを特徴とする遊技場用システム。
【発明の詳細な説明】
【技術分野】
【０００１】
本発明は、遊技者が獲得した遊技媒体を受入れて計数し、その計数結果を記録した記録媒体を発行する遊技媒体計数装置、及び前記遊技媒体計数装置を備えた遊技場用システムに関する。
【背景技術】
【０００２】
昨今の遊技場（パチンコ店）においては、遊技者が獲得した遊技媒体を受入れて計数し、その計数結果を記録した記録媒体を発行する計数機が設置されている。従来の計数機は、コスト面で優れるレシート（紙媒体）を記録媒体として採用することが多いが、計数した遊技媒体を再遊技に利用する場合には記録媒体を繰り返し何度も使用することになり、レシートでは耐久性に問題があるという事情から、耐久性に優れたＩＣカード等を記録媒体として採用するのが一般的である（例えば特許文献１参照）。又、最近では、記録媒体を発行するときに、その記録媒体の形式（レシート又はＩＣカード）を選択可能とすることも提案されている。
【先行技術文献】
【特許文献】
【０００３】
【特許文献１】特開２００８−８６４３７号公報
【発明の概要】
【発明が解決しようとする課題】
【０００４】
上記したように記録媒体の形式を選択可能とすると、コストの抑制を実現しつつ、遊技者の利便性を向上させることができるというメリットがある一方、形式の選択を誤ってしまうという問題を避けることができない。即ち、遊技者が一旦計数した後に再遊技を希望するような場合には、本来であれば再遊技に利用可能なＩＣカードを選択して発行すべきであるが、誤って再遊技に利用不可能なレシートを選択して発行する等の問題が生ずる虞がある。
【０００５】
本発明は、上記した事情に鑑みてなされたものであり、その目的は、記録媒体の形式を選択する際に、その形式の選択を誤って記録媒体を発行した場合であっても、遊技者の希望に沿った対応を可能とする遊技媒体計数装置及び遊技場用システムを提供することにある。
【課題を解決するための手段】
【０００６】
請求項１に記載した遊技媒体計数装置は、遊技者が獲得した遊技媒体を受入れて計数し、その計数結果を記録した記録媒体を発行する遊技媒体計数装置において、前記計数結果を記録した記録媒体として、景品交換専用のレシート、及び景品交換と再遊技とが可能なＩＣチップを内蔵したカードのうち何れか一方の記録媒体を選択するために操作する選択操作手段と、前記選択操作手段による操作に応じて選択された記録媒体を発行する記録媒体発行手段と、この記録媒体発行手段が発行した記録媒体に関する履歴情報を記憶する発行履歴記憶手段と、この発行履歴記憶手段が記憶する履歴情報を読出して表示する履歴情報表示手段と、前記履歴情報の中から任意に選択された履歴情報により特定される記録媒体に記録した計数結果を、再度当該記録媒体と同じ形式の記録媒体に記録して発行する第１再発行手段と、前記履歴情報の中から任意に選択された履歴情報により特定される前記レシートに記録した計数結果を、再度前記カードに記録して発行する第２再発行手段と、を備えたことを特徴とする。
【０００７】
請求項２に記載した遊技場用システムは、請求項１に記載した遊技媒体計数装置と、前記レシート及び前記カードに記録された計数結果に基づいて景品交換処理を実行可能な景品交換装置と、前記カードに記録された計数結果に基づいて遊技媒体の払出処理を実行可能な遊技媒体払出装置と、を備えたことを特徴とする。
【発明の効果】
【０００８】
請求項１に記載した遊技媒体計数装置によれば、記録媒体を発行した履歴情報の中から任意に選択された履歴情報により特定される記録媒体に記録した計数結果を再発行する場合に、再度当該記録媒体と同じ形式の記録媒体に記録して発行するか、レシートに記録した計数結果を再度前記カードに記録して発行するかを選択可能することができ、記録媒体の形式を誤って発行した場合であっても、再度遊技者が希望する（正しい）記録媒体に記録して発行し直すことができ、遊技者の希望に沿った対応を行うことができる。即ち、遊技者が再遊技を希望しているにも関わらず誤ってレシートを発行してしまった場合であっても、再度ＩＣカードを発行することで、遊技者が再遊技できるように便宜を図ることができる。
【００１０】
請求項２に記載した遊技場用システムによれば、レシート及びカードのうち何れかが景品交換装置に受付けられることで景品交換を行うことができ、カードが遊技媒体払出装置に受付けられることで遊技媒体の払出を行うことができる。
【図面の簡単な説明】
【００１１】
【図１】本発明の一実施形態を示す全体構成図
【図２】各台計数機の機能ブロック図
【図３】島端計数機の外観斜視図
【図４】島端計数機の機能ブロック図
【図５】（ａ）は計数中画面、（ｂ）は計数完了画面を示す図
【図６】（ａ）は発行履歴画面、（ｂ）は再発行実行画面を示す図
【発明を実施するための形態】
【００１２】
以下、本発明の一実施形態について、図面を参照して説明する。図１は、遊技場用システムの全体構成を概略的に示している。遊技場（パチンコ店）には、各台計数島１と島端計数島２とが併設されている。各台計数島１には、遊技機３毎に各台計数機４（遊技媒体払出装置に相当）が設置されており、それら複数の遊技機３及び複数の各台計数機４は、ＬＡＮ５を介して中継装置６に接続されている。島端計数島２には、遊技機７毎に貸出機８が設置されており、それら複数の遊技機７及び複数の貸出機８は、ＬＡＮ９を介して中継装置１０に接続されている。中継装置６及び中継装置１０は、ＬＡＮ１１を介して管理装置１２、島端計数機１３（遊技媒体計数装置に相当）及び景品交換装置（ＰＯＳ端末）１４に接続されている。
【００１３】
遊技機３及び遊技機７は、所謂デジパチとしての周知のパチンコ機等であり、遊技者がハンドルを操作すると、パチンコ玉（遊技媒体）が盤面に発射され、そのパチンコ玉が入賞口に入賞すると、その入賞に応じた玉数のパチンコ玉を払出したり大当たり抽選を行ったりする。大当たり抽選では、所謂特別図柄（特図）による図柄変動を実行し、停止表示された図柄が大当たり図柄の場合に大当たりが発生する。大当たりが発生すると、例えば１５ラウンド分だけ大入賞口を開放する。尚、遊技機３及び遊技機７は、遊技者による遊技が進行することに応じて、打ち込んだパチンコ玉の玉数である投入媒体数を特定可能なアウト信号、払出されたパチンコ玉の玉数である払出媒体数を特定可能なセーフ信号、大当たり状態を特定可能な大当たり信号等の各種の遊技信号を出力する。各台計数島１に設置されている遊技機３と島端計数島２に設置されている遊技機７とは、例えば遊技機３がパチンコ玉１玉を１円の交換単価とするパチンコ機である一方で、遊技機７がパチンコ玉１玉を４円の交換単価とするパチンコ機である等、営業形態が異なる関係にある。
【００１４】
図２は、各台計数島１において遊技機３毎に設置されている各台計数機４の構成を機能ブロック図により示している。各台計数機４は、ＣＰＵ、ＲＯＭ、ＲＡＭ、Ｉ／Ｏを有する制御部１５、パチンコ玉を計数する計数部１６、各種情報を表示する表示部１７、各種キーや各種釦からなる操作部１８、計数部１６が計数した計数結果である計数値を記録した持玉券１９（第２記録媒体に相当）を持玉券挿入口２０（図１参照）から発行する持玉券発行部２１、持玉券１９が持玉券挿入口２０に挿入されたことに応じて持玉券１９に記録されている計数値を読取る持玉券リーダ２２、玉払出ノズルを介して遊技機３の上部受皿にパチンコ玉を払出す払出部２３、各種信号を送受信する送受信部２４、パチンコ玉を貸出すための処理全般（貨幣受付処理、遊技機３に対する貸出指令出力処理等）を実行するＣＲユニット部２５等を備えて構成されている。即ち、各台計数機４は、後述する貸出機８と同等の機能を有している。
【００１５】
持玉券１９は、計数値を記録可能なメモリを有するＩＣチップを内蔵したＩＣカードであり、ＩＣ持玉券とも称される。尚、持玉券１９には、計数値の他に、発行された時刻である発行時刻、持玉券１９を識別可能な持玉券ＩＤ、発行元の各台計数機４を特定可能な各台計数機ＩＤ等も記録される。又、各台計数機４は、機器の状態を表示する状態表示ＬＥＤ（図示せず）や、従業員が所持する従業員リモコンから送信された信号を受信する信号受信部等をも備えている。
【００１６】
各台計数機４は、遊技機３の下部受皿が開放されることで落下したパチンコ玉を受皿部で受けると、その受けたパチンコ玉を計数部１６により計数し、計数を完了すると、その計数結果である計数値を持玉として特定し、その持玉として特定した計数値を表示部１７に表示する。ここで、遊技者が操作部１８に設けられている発行釦を操作すると、計数部１６が計数した計数値を記録した持玉券１９を持玉券発行部２１により持玉券挿入口２０から発行する。この場合、遊技者が操作部１８に設けられているテンキーを操作し、持玉として特定した計数値の一部を数値入力して指定すると、その指定した玉数だけを記録した持玉券１９を持玉券発行部２１により持玉券挿入口２０から発行する。又、遊技者が操作部１８に設けられている払戻釦を操作すると、計数部１６が計数した計数値の範囲内でパチンコ玉を払出部２３から玉払出ノズルを介して遊技機３の上部受皿に払出す。
【００１７】
又、遊技者が持玉券１９を持玉券挿入口２０に挿入すると、その挿入された持玉券１９に記録されている計数値を持玉券リーダ２２により読取り、その読取った計数値の範囲内でパチンコ玉を払出部２３から玉払出ノズルを介して遊技機３の上部受皿に払出す。尚、各台計数機４は持玉券１９を所定枚数（１０枚）までストック可能であり、複数の持玉券１９を受付順にストックしており、持玉券１９を発行する場合には、ストックしている持玉券のうち受付順が最新である持玉券１９を発行する。
【００１８】
島端計数島２において遊技機７毎に設置されている貸出機８は、貨幣を投入する貨幣投入口を有する所謂ＣＲユニットであり、ＣＰＵ、ＲＯＭ、ＲＡＭ、Ｉ／Ｏを有する制御部、各種信号を送受信する送受信部等を備えて構成されている。貸出機８は、遊技者が貨幣を貨幣投入口に投入した状態で貸出釦を操作すると、払出単位の玉数のパチンコ玉を遊技機７に払出す。
【００１９】
管理装置１２は、遊技場内の例えば事務室等に設置され、ＣＰＵ、ＲＯＭ、ＲＡＭ、Ｉ／Ｏを有する制御部、各種信号を送受信する送受信部、モニタ及びプリンタ等からなる出力部等を備えて構成されている。管理装置１２は、各台計数島１に設置されている遊技機３や各台計数機４、島端計数島２に設置されている遊技機７や貸出機８、島端計数機１３、景品交換装置１４等との間で各種信号を送受信することで、周知の出玉率等の遊技情報を集計したり、各台計数機４からの持玉券１９の発行状況や後述する島端計数機１３からの持玉券１９及びレシート２７（第１記録媒体に相当、図４参照）の発行状況を管理したりする。
【００２０】
島端計数機１３は、島端計数島２に設置されている遊技機７で獲得したパチンコ玉を計数するための機器であり、遊技場内の島端計数島２の島端に設置される。図３は、島端計数機１３の外観斜視図を示している。島端計数機１３は、筐体２６に、レシート２７を発行するレシート発行口２８、上記した持玉券１９を発行する持玉券発行口２９、従業員が所持する従業員カード３０（図４参照）から従業員データを読取る従業員カードリーダ３１、タッチパネル液晶ディスプレイからなる表示部３２（履歴情報表示手段に相当）、返却玉（余り玉）を払出す返却玉払出口３３、手動開閉式のスライドカバー３４等を備えて構成されている。尚、実際に島端計数機１３でパチンコ玉を計数する際は、遊技者自らが単独で計数しても良いし、不正行為を防止する目的で遊技者による計数を禁止し、必ず従業員が計数するようにしても良い。
【００２１】
レシート２７は、計数値を例えば２次元コードで記録した紙媒体である。尚、レシート２７には、計数値の他に、発行された時刻である発行時刻、レシート２７を識別可能なレシートＩＤ、発行元の島端計数機１３を特定可能な島端計数機ＩＤ等も記録される。従業員カード３０は、従業員を識別可能な従業員データが記録されているメモリを有するＩＣチップを内蔵したＩＣカードである。
【００２２】
図４は、島端計数機１３の構成を機能ブロック図により示している。島端計数機１３は、ＣＰＵ、ＲＯＭ、ＲＡＭ、Ｉ／Ｏを有する制御部３５、パチンコ玉を計数する計数部３６、上記した従業員カードリーダ３１、上記した表示部３２、表示部３２に形成される各種タッチキーからなる操作部３７、計数値を記録した持玉券１９を上記した持玉券発行口２９から発行する持玉券発行部３８（記録媒体発行手段、第２再発行手段に相当）、持玉券１９が持玉券発行口２９に挿入されたことに応じて持玉券１９に記録されている計数値を読取る持玉券リーダ３９、計数値を印字したレシート２７を上記したレシート発行口２８から発行するレシート発行部４０（記録媒体発行手段、第１再発行手段に相当）、パチンコ玉を払出す払出部４１、記憶部４２（発行履歴記憶手段に相当）、各種信号を送受信する送受信部４３等を備えて構成されている。
【００２３】
島端計数機１３において、制御部３５は、遊技者が遊技して獲得した獲得媒体であるパチンコ玉をスライドカバー３４が開放されることで受入口から受入れ、その受入れたパチンコ玉の計数を計数部３６により開始すると、計数中にあるときには、図５（ａ）に示すように、計数中であることを示す計数中画面５１を表示部３２に表示する。この場合、制御部３５は、計数中の計数値（図５（ａ）では「２１２５」）を計数値表示領域５１ａに表示し、計数値を記録した記録媒体として持玉券１９及びレシート２７のうち何れを発行するかを選択可能な選択釦５１ｂを表示する。ここで、従業員や遊技者は選択釦５１ｂを押下することで持玉券１９及びレシート２７のうち何れを発行するかを選択可能である。
【００２４】
又、制御部３５は、計数を完了したと判定すると、図５（ｂ）に示すように、計数を完了したことを示す計数完了画面５２を表示部３２に表示する。制御部３５は、計数結果である計数値（図５（ｂ）では「３８５２」）を計数値表示領域５２ａに表示し、この場合も、計数値を記録した記録媒体として持玉券１９及びレシート２７のうち何れを発行するかを選択可能な選択釦５２ｂを計数中画面５１から引続いて表示し、精算釦５２ｃ（「全部発券」釦と「あまり返却」釦）を表示する。「全部発券」釦が押下された場合には計数値全てを記録した持玉券１９又はレシート２７を発行し、「あまり返却」釦が押下された場合には計数値を特定景品の交換玉数で除算した商（余りは返却玉払出口３３から払出す）に相当する計数値を記録した持玉券１９又はレシート２７を発行する。ここでも、従業員や遊技者は選択釦５２ｂを押下することで持玉券１９及びレシート２７のうち何れを発行するかを選択可能である。尚、図５では計数完了中５１における選択釦５１ｂ及び計数完了画面５２における選択釦５２ｂが何れもレシート２７での発行を選択している場合を示している。又、初期設定はレシート２７での発行及び持玉券１９での発行の何れであっても良い。
【００２５】
制御部３５は、持玉券１９での発行が選択された状態で精算釦５２ｃが押下されたと判定すると、計数値を記録した持玉券１９を持玉券発行部３８により持玉券発行口２７から発行し、レシート２７での発行が選択された状態で精算釦５２ｃが押下されたと判定すると、計数値を記録したレシート２７をレシート発行部４０によりレシート発行口２８から発行する。このようにして従業員や遊技者は、計数中に表示される計数中画面５１の選択釦５１ｂを押下したり計数完了後に表示される計数完了画面５２の選択釦５２ｂを押下したりすることで、計数値を記録した記録媒体として持玉券１９及びレシート２７のうち何れを発行するかを選択することができ、計数完了画面５２の精算釦５２ｃを押下することで、その選択した記録媒体を発行することができる。尚、従業員や遊技者が持玉券１９の発行を選択した場合に、従業員や遊技者が計数値の一部を数値入力して指定すると、その指定した玉数だけを記録した持玉券１９を発行するようにしても良い。又、制御部３５は、遊技者が持玉券１９を持玉券発行口２９に挿入すると、その挿入された持玉券１９に記録されている計数値を持玉券リーダ３９により読取り、その読取った計数値の範囲内でパチンコ玉を払出部４１から払出す。
【００２６】
景品交換装置１４は、従業員が景品交換を行うために扱う機器であり、遊技場内の景品交換カウンタに設置される。景品交換装置１４は、ＣＰＵ、ＲＯＭ、ＲＡＭ、Ｉ／Ｏを有する制御部、各種信号を送受信する送受信部等を備えて構成されている。景品交換装置１４は、レシート２７に記録されている計数値を読取可能なスキャナを有しており、遊技者が提出したレシート２７に記録されている計数値をスキャナにより読取り、その読取った計数値に対応する景品（例えば特殊景品等）の個数を算出し、その算出結果を表示部に表示する。又、景品交換装置１４は、上記した持玉券１９を挿入可能な持玉券挿入口を有しており、遊技者が提出した持玉券１９に記録されている計数値を持玉券リーダにより読取り、この場合も、その読取った計数値に対応する景品の個数を算出し、その算出結果を表示部に表示する。即ち、遊技者は、レシート２７及び持玉券１９の何れでも景品交換を行うことが可能である。
【００２７】
上記した構成では、従業員や遊技者は計数値を記録した記録媒体として持玉券１９及びレシート２７のうち何れを発行するかを島端計数機１３にて選択可能である。しかしながら、正しくは遊技者が再遊技を可能な持玉券１９を発行すべきところを誤って遊技者が再遊技を不可能なレシート２７を発行してしまう場合や、例えば紙詰まり等の機械的な動作不良によりレシート２７を正常に発行することができない場合があり得る。このような事情を考慮し、本実施形態は次に示す機能を有する。
【００２８】
島端計数機１３において、制御部３５は、レシート２７をレシート発行部４０によりレシート発行口２８から発行する毎に、そのレシート２７を発行した時刻である発行時刻と、そのレシート２７を識別可能なレシートＩＤ（図６では「Ｎｏ」）と、そのレシート２７に記録した計数値とを対応付けて発行履歴として記憶部４２に記憶する。そして、制御部３５は、従業員や遊技者が発行履歴の読出操作を行うと、図６（ａ）に示すように、その記憶部４２に記憶している発行履歴を示す発行履歴画面５３を表示部３２に表示する。この場合、制御部３５は、発行時刻とレシートＩＤと計数値との対応を１単位とする複数（図６（ａ）では５個）のレコードを例えば最新順（発行時刻が新しい順）からレコード表示領域５３ａに表示し、上スクロール釦５３ｂ、下スクロール釦５３ｃ、実行釦５３ｄ、戻る釦５３ｅを表示する。従業員や遊技者は、上スクロール釦５３ｂや下スクロール釦５３ｃを押下することで、何れかのレコードを再発行対象として選択することができ、実行釦５３ｄを押下することで、その選択したレコードを再発行対象として確定することができる。
【００２９】
制御部３５は、何れかのレコードが再発行対象として確定されたと判定すると、図６（ｂ）に示すように、再発行実行画面５４を表示部３２に表示する。この場合、制御部３５は、レシート釦５４ａ、持玉券釦５４ｂを表示する。そして、制御部３５は、レシート釦５４ａが押下された、即ち、レシート２７での再発行が選択されたと判定すると、その再発行対象として確定したレコードの計数値を記録したレシート２７をレシート発行部４０によりレシート発行口２８から発行する。一方、制御部３５は、持玉券釦５４ｂが押下された、即ち、持玉券１９での再発行が選択されたと判定すると、その再発行対象として確定したレコードの計数値を記録した持玉券１９を持玉券発行部３８により持玉券発行口２７から発行する。
【００３０】
このようにして従業員や遊技者は、レシート２７を誤って発行した場合であっても、その誤って発行したレシート２７を再発行対象として確定し、持玉券１９での再発行を選択することで、誤って発行したレシート２７に対応するレコードの計数値を記録した持玉券１９を発行する（再発行する）ことができ、又、例えば紙詰まり等によりレシート２７を正常に発行することができなかった場合であっても、その正常に発行することができなかったレシート２７を再発行対象として確定し、レシート２７での再発行を選択することで、正常に発行することができなかったレシート２７に対応するレコードの計数値を記録したレシート２７を新たに発行する（再発行する）ことができる。
【００３１】
尚、制御部３５は、このようにして持玉券１９及びレシート２７のうち何れかを再発行した場合には、再発行対象となったレシート２７の情報（発行時刻、レシートＩＤ、計数値等）と今回の再発行した持玉券１９の情報（発行時刻、持玉券ＩＤ、計数値等）又はレシート２７の情報（発行時刻、レシートＩＤ、計数値等）とを特定可能な再発行特定信号を送受信部４３から管理装置１２へ出力する。管理装置１２は、再発行対象となったレシート２７の情報と、再発行した持玉券１９やレシート２７の情報との対応を再発行履歴として管理する機能を有し、島端計数機１３から出力された再発行特定信号を受信すると、その再発行特定信号を解析し、再発行対象となったレシート２７の情報と、再発行した持玉券１９やレシート２７の情報との対応を特定する。
【００３２】
景品交換装置１４は、遊技者が提出したレシート２７や持玉券１９に記録されている計数値をスキャナにより読取る際に、そのレシート２７に記録されているレシートＩＤや持玉券１９に記録されている持玉券ＩＤをも読取り、それら読取ったレシートＩＤや持玉券ＩＤ及び計数値を特定可能な景品交換問合信号を送受信部から管理装置１２へ出力する。管理装置１２は、景品交換装置１４から出力された景品交換問合信号を受信すると、その景品交換問合信号を解析し、景品交換を要求しているレシート２７のレシートＩＤや持玉券１９の持玉券ＩＤを特定し、再発行履歴を参照することで、景品交換を要求しているレシート２７や持玉券１９が再発行されたものであるか否かを判定し、再発行されたものであると判定すると、再発行対象となった（元々の）レシート２７に対する景品交換が行われたか否かを判定し、元々のレシート２７に対する景品交換が行われていないと判定すると、景品交換許可信号を景品交換装置１４へ出力する一方、元々のレシート２７に対する景品交換が行われたと判定すると、景品交換禁止信号を景品交換装置１４へ出力する。
【００３３】
景品交換装置１４は、管理装置１２から出力された景品交換許可信号を受信すると、景品交換を要求しているレシート２７や持玉券１９に対する景品交換を許可する一方、管理装置１２から出力された景品交換禁止信号を受信すると、景品交換を要求しているレシート２７や持玉券１９に対する景品交換を禁止する。管理装置１２は、このようにして再発行対象となったレシート２７を無効とする。
【００３４】
尚、レシート２７を再発行対象とする一方で持玉券１９を再発行対象としないので、レシート２７で再発行した後では、その再発行したレシート２７を再々発行対象としてレシート２７を再々発行することは可能であるが、持玉券１９で再発行した後では、その再発行した持玉券１９を再々発行対象としてレシート２７を再々発行することは不可能である。
【００３５】
以上に説明したように本実施形態によれば、島端計数機１３において、遊技者が遊技により獲得したパチンコ玉を計数した計数値を記録したレシート２７を発行すると、その発行履歴を記憶し、その発行履歴の中から任意に選択したレコードの計数結果を再発行する場合に、再度レシート２７を発行するか持玉券１９を発行するかを選択可能に構成したので、記録媒体の形式を誤って発行した場合であっても、再度遊技者が希望する（正しい）記録媒体に記録して発行し直すことができ、遊技者の希望に沿った対応を行うことができる。
【００３６】
本発明は、上記した実施形態にのみ限定されるものではなく、以下のように変形又は拡張することができる。
対象となる遊技機としてはパチンコ機に限らずスロットマシンであっても良い。
レシート２７を再発行する回数に制限を持たせても良い。
管理装置１２において、レシート２７が再発行された頻度（単位期間あたりの回数）を管理することで、紙詰まりの頻度を把握することができ、部品交換やメンテナンスの時期を把握することができる。
【符号の説明】
【００３７】
図面中、４は各台計数機（遊技媒体払出装置）、１３は島端計数機（遊技媒体計数装置）、１４は景品交換装置、１９は持玉券（第２記録媒体）、２７はレシート（第１記録媒体）、３２は表示部（履歴情報表示手段）、３８は持玉券発行部（記録媒体発行手段、第２再発行手段）、４０はレシート発行部（記録媒体発行手段、第１再発行手段）、４２は記憶部（発行履歴記憶手段）である。
【図１】
0005735286.tif 000002
【図２】
0005735286.tif 000003
【図３】
0005735286.tif 000004
【図４】
0005735286.tif 000005
【図５】
0005735286.tif 000006
【図６】
0005735286.tif 000007